(57)【要約】【課題】冷却部が故障した状態でも、投射画面上で異常状態を通知することを可能にした投射型画像表示装置を提供すること。【解決手段】光源と、光源の駆動を行う光源駆動部と、各部を冷却する冷却部と、冷却部を制御する冷却制御部と、光源の光を変換し投射画像を形成する画像形成部と、光源の発光レベルを設定する光源出力設定部と、冷却部の故障を検知する冷却部故障検知部と、を備え、光源出力設定部は冷却部が故障した際に光源の発光レベルを通常使用状態より低いレベルで点灯し画像形成部により投射画面上にて異常状態を通知することを特徴とする。【選択図】図１
2016143930.tif 000002
【特許請求の範囲】
【請求項１】
光源と、光源の駆動を行う光源駆動部と、各部を冷却する冷却部と、冷却部を制御する冷却制御部と、光源の光を変換し投射画像を形成する画像形成部と、光源の発光レベルを設定する光源出力設定部と、冷却部の故障を検知する冷却部故障検知部と、を備え、光源出力設定部は冷却部が故障した際に光源の発光レベルを通常使用状態より低いレベルで点灯し画像形成部により投射画面上にて異常状態を通知することを特徴とする投射型画像表示装置。
【請求項２】
光源出力設定部は故障した冷却部の箇所に応じた光源の発光レベルを設定することを特徴とする請求項１に記載の投射型画像表示装置。
【請求項３】
光源出力設定部は冷却部の故障検知後から任意の時間光源を点灯させない機能を有することを特徴とする請求項１又は請求項２に記載の投射型画像表示装置。
【請求項４】
各部の温度を取得する温度センサ部と各モード時の温度閾値を記録した温度閾値記録部を有し、冷却部の故障検知後の任意の箇所の温度が温度閾値記録部の温度閾値以上の場合光源出力設定部は光源を点灯させない機能を有することを特徴とする請求項１乃至請求項３のいずれか１項に記載の投射型画像表示装置。
【請求項５】
複数の光源を有し、光源出力設定部は冷却部の故障検知後に一部の光源のみを発光させることを特徴とする請求項１乃至請求項４のいずれか１項に記載の投射型画像表示装置。
【請求項６】
複数種類の光源を有し、光源出力設定部は冷却部の故障検知後に一部の光源のみを発光させることを特徴とする請求項５に記載の投射型画像表示装置。
【請求項７】
画像形成部以外で装置の異常状態を通知する異常状態通知部を有することを特徴とする請求項１乃至請求項６のいずれか１項に記載の投射型画像表示装置。
【発明の詳細な説明】
【技術分野】
【０００１】
本発明は、投射型画像表示装置に関し、特に装置の冷却部の異常発生時の光源の点灯方法に関する。
【背景技術】
【０００２】
投射型画像表示装置は光源の光によって画像の表示を行う。一般的に光源点灯中は光源自体や光路上の部品が高温になるため冷却部によって冷却されている。これより冷却部が故障した場合、光源を消灯して内部の温度上昇を防いでいる。そして光源が消灯した状態でユーザに異常状態の通知を行っている。
【０００３】
上記の動作の一例として、特許文献１では冷却ファンが故障したら光源を消灯し異常状態を通知している技術が開示されている。
【先行技術文献】
【特許文献】
【０００４】
【特許文献１】特開2009-47966号公報
【発明の概要】
【発明が解決しようとする課題】
【０００５】
しかしながら、従来技術では、冷却部の故障と共に光源を消灯するため、異常通知方法はLEDの点滅や管理PC等へのコマンド送信等に限られてしまう。これらの通知方法はその場にいるユーザはどの状態で故障しているのかが判別しにくかった。
【０００６】
そこで、本発明の目的は、冷却部が故障した状態でも、投射画面上で異常状態を通知することを可能にした投射型画像表示装置を提供することにある。
【課題を解決するための手段】
【０００７】
上記の目的を達成するために、本発明の投射型画像表示装置は、光源と、光源の駆動を行う光源駆動部と、各部を冷却する冷却部と、冷却部を制御する冷却制御部と、光源の光を変換し投射画像を形成する画像形成部と、光源の発光レベルを設定する光源出力設定部と、冷却部の故障を検知する冷却部故障検知部と、を備え、光源出力設定部は冷却部が故障した際に光源の発光レベルを通常使用状態より低いレベルで点灯し画像形成部により投射画面上にて異常状態を通知することを特徴とする。
【発明の効果】
【０００８】
本発明によれば、冷却部が故障した状態でも、投射画面上で異常状態を通知することを可能にした投射型画像表示装置を提供することができる。
【図面の簡単な説明】
【０００９】
【図１】プロジェクタ1の構成図
【図２】冷却部異常時の動作フロー1
【図３】冷却部異常時の動作フロー2
【発明を実施するための形態】
【００１０】
以下に、本発明の好ましい実施の形態を、添付の図面に基づいて詳細に説明する。
【００１１】
［実施例１］
以下、図１、２を参照して、本発明の第1の実施例について説明する。図１は本発明の一実施例に係るプロジェクタ1（投射型画像表示装置）の構成を示している。光源部10は光源駆動部11から供給された電力に応じて発光する。さらに光源1と光源2を持ち、光源1と光源2は違う種類の光源である。例えば光源1はレーザ、光源2はLED。光源駆動部11は光源出力設定部15によって設定された電力を光源部10に供給する。冷却部12は光源1の冷却を行うファン1と光源2の冷却を行うファン2を有し冷却制御部13の設定に応じた各部の冷却を行う。冷却制御部13は冷却部12の制御を行う。
【００１２】
画像形成部14は光源部10からの光を変換し、投射画面上に画像の表示を行う。光源出力設定部15は光源駆動部11の制御を行い、光源部10の発光レベルを設定する。冷却部故障検知部16は冷却部12の故障状態の検知を行う。温度センサ部17はプロジェクタ1の内部の任意の箇所の温度測定を行う。温度閾値記録部18はプロジェクタ1の内部の任意の箇所の温度閾値を記録している。異常状態通知部19はプロジェクタ1に異常状態が発生した場合、外部の管理PC20と通信を行い異常状態の通知を行う。管理PC20はプロジェクタ1の管理を行う。
【００１３】
次に図２を参照し、第1の実施例におけるプロジェクタ1の動作フローを説明する。プロジェクタ1が光源点灯指令を受けると、本実施例の動作フローが開始される。ステップ101では、冷却制御部13によって冷却部12が起動し各部の冷却を開始する。ステップ102では、冷却部故障検知部16によって冷却部12の故障状態の確認を行う。冷却部12が正常動作の場合はステップ103、冷却部12が故障している場合はステップ104へ移行する。ステップ103では通常の画像表示動作を行い、ステップ102へ移行する。
【００１４】
ステップ104では光源出力設定部15により光源部10の発光レベルの設定を消灯状態にして、光源部10を消灯しステップ105へ移行する。ステップ105では冷却制御部13によって冷却部12を停止させステップ106へ移行する。ステップ106では異常状態通知部19によって冷却部故障検知部16で検知された冷却部12の故障状態を管理PC20に通知しステップ107へ移行する。ステップ107では、温度センサ部17によって測定された装置の内部温度と温度閾値記録部18に記録されている温度閾値との比較を行う。
【００１５】
内部温度が温度閾値より高い場合はステップ107を再度実行し、内部温度が温度閾値より低い場合はステップ108へ移行する。ステップ108では光源出力設定部15によって冷却が不要なレベルの発光レベルを設定し、光源駆動部11によって光源1を設定された発光レベルで点灯させステップ109へ移行する。この時光源2は消灯状態を保持させる。ステップ109では画像形成部14によって光源部10からの光を変換し投射画面に冷却部12が故障したことを表示してステップ110へ移行する。ステップ110では光源消灯指示の有無を確認し、無い場合はステップ111、有る場合はステップ112へ移行する。
【００１６】
ステップ111ではステップ109を実行してからの時間をカウントし、任意の時間が経過したかを確認し、任意の時間が経過していない場合はステップ110、経過している場合はステップ112へ移行する。ステップ112では光源出力設定部15により光源部10の発光レベルの設定を消灯状態にして、光源部10の消灯を行い終了する。
【００１７】
上記動作フローによって本発明を実施することが可能であるが、ステップ108において光源出力設定部15によって冷却が不要なレベルの発光レベルで光源部10の全ての光源を点灯させる動作に変更しても本発明を実施することが可能である。
【００１８】
［実施例２］
以下、図１、３を参照して、本発明の第２の実施例について説明する。図１は本発明の一実施例に係るプロジェクタ1（投射型画像表示装置）の構成を示している。光源部10は光源駆動部11から供給された電力に応じて発光する。さらに光源1と光源2を持ち、光源1と光源2は違う種類の光源である。例えば光源1はレーザ、光源2はLED。光源駆動部11は光源出力設定部15によって設定された電力を光源部10に供給する。冷却部12は光源1の冷却を行うファン1と光源2の冷却を行うファン2を有し冷却制御部13の設定に応じた各部の冷却を行う。冷却制御部13は冷却部12の制御を行う。
【００１９】
画像形成部14は光源部10からの光を変換し、投射画面上に画像の表示を行う。光源出力設定部15は光源駆動部11の制御を行い、光源部10の発光レベルを設定する。冷却部故障検知部16は冷却部12の故障状態の検知を行う。温度センサ部17はプロジェクタ1の内部の任意の箇所の温度測定を行う。温度閾値記録部18はプロジェクタ1の内部の任意の箇所の温度閾値を記録している。異常状態通知部19はプロジェクタ1に異常状態が発生した場合、外部の管理PC20と通信を行い異常状態の通知を行う。管理PC20はプロジェクタ1の管理を行う。
【００２０】
次に図３を参照し、第２の実施例におけるプロジェクタ1の動作フローを説明する。プロジェクタ1が光源点灯指令を受けると、本実施例の動作フローが開始される。ステップ201では、冷却制御部13によって冷却部12が起動し各部の冷却を開始する。ステップ202では、冷却部故障検知部16によって冷却部12の故障状態の確認を行う。冷却部12が正常動作の場合はステップ203、冷却部12が故障している場合はステップ204へ移行する。ステップ203では通常の画像表示動作を行い、ステップ202へ移行する。ステップ204では光源出力設定部15により光源部10の発光レベルの設定を消灯状態にして、光源部10を消灯しステップ205へ移行する。
【００２１】
ステップ205では冷却制御部13によって冷却部12を停止させステップ206へ移行する。ステップ206では異常状態通知部19によって冷却部故障検知部16で検知された冷却部12の故障状態を管理PC20に通知しステップ207へ移行する。ステップ207では、冷却制御部13が冷却部故障検知部16によって検知された冷却部12の故障した箇所以外のファンを起動する。ステップ208では、光源出力設定部15は所定時間光源部10の点灯を禁止する。ステップ209では、光源出力設定部15は冷却部故障検知部16によって検知された冷却部12の故障した箇所の情報を基に光源部10の発光レベルを設定して光源部10を点灯させる。
【００２２】
例えば、ファン1が故障していた場合光源1は消灯のまま、光源2は発光レベルを通常より落とした状態で点灯。ステップ210では画像形成部14によって光源部10からの光を変換し投射画面に冷却部12が故障したことを表示してステップ211へ移行する。ステップ211では光源消灯指示の有無を確認し、無い場合はステップ212、有る場合はステップ213へ移行する。ステップ212ではステップ210を実行してからの時間をカウントし、任意の時間が経過したかを確認し、任意の時間が経過していない場合はステップ211、経過している場合はステップ213へ移行する。ステップ213では光源出力設定部15により光源部10の発光レベルの設定を消灯状態にして、光源部10の消灯を行い終了する。
【００２３】
以上、本発明の好ましい実施形態について説明したが、本発明はこれらの実施形態に限定されず、その要旨の範囲内で種々の変形及び変更が可能である。
【符号の説明】
【００２４】
1  プロジェクタ、10  光源部、11  光源駆動部、12  冷却部、13  冷却制御部、
14  画像形成部、15  光源出力設定部、16  冷却部故障検知部、17  温度センサ部、
18  温度閾値記録部、19  異常状態通知部、20  管理PC
【図１】
2016143930.tif 000003
【図２】
2016143930.tif 000004
【図３】
2016143930.tif 000005